(57)【要約】【課題】現在の枕及び現在のオーダーメイド枕でも解決できない肩こり等の問題を解消できる枕を提供すること。【解決手段】重度の肩こりや緊張性頭痛（肩こりに起因する頭痛）の患者と肩こりを有さない健常者の様々な身体の外部情報及び内部情報を比較検討したところ、立位の状態での第２頚椎歯突起後面と第４頚椎椎体後面中央中心と第７頚椎椎体後面を結ぶ線による角度に有意な差異を有することを見出した。そして、該角度が肩こり等に影響を与えるという事実を基にして、該角度を調整可能な枕及び該枕の設計方法を完成した。【選択図】なし【特許請求の範囲】
【請求項１】
下記の構造を有する枕、
（１）後頭部の最凸部（大後頭隆起）周辺支持部（Ｂ）、
（２）第４頸椎周辺の支持部（Ｄ）及び
（３）第７頸椎周辺の支持部（Ｅ）を有し、
枕使用者が布団に仰向けに寝た状態での該布団の床面から、大後頭隆起部の頭皮外側までの距離の高さをＨＢ、第４頚椎棘突起の位置の筋層の外側までの距離の高さをＨＤ及び第７頚椎の棘突起先端までの距離の高さをＨＥとし、
該枕使用者が立位の状態での第２頚椎歯突起後面と第４頚椎椎体後面中央中心と第７頚椎椎体後面を結ぶＬ１による角度Ｎ１が１６０〜１７５度になるようにＨＢ、ＨＤ及びＨＥの高さが設定されていることを特徴とする枕。
【請求項２】
さらに、頭部両側周辺の支持部（Ｃ）を含む請求項１に記載の枕。
【請求項３】
前記請求項１又は２の枕において、
枕使用者の撮影画像測定により、肩甲骨の接線Ｌ２から、大後頭隆起部の頭皮外側までの距離の高さをｈｂ、第４頚椎棘突起の位置の筋層の外側までの距離の高さをｈｄ及び第７頚椎の棘突起先端までの距離の高さをｈｅとし、
（１）角度Ｎ１の測定値が１６０〜１７５度の場合には、ＨＢ、ＨＤ及びＨＥが、それぞれ、ｈｂ、ｈｄ及びｈｅであり、
（２）角度Ｎ１の測定値が１７５度を超える場合には、Ｎ１が１６０〜１７５度の範囲に入るように、ｈｄを補正してｃｈｄｈ（ｈｄより高い値）として、ＨＢ、ＨＤ及びＨＥが、それぞれ、ｈｂ、ｃｈｄｈ及びｈｅであり、
（３）角度Ｎ１の測定値が１６０度未満の場合には、Ｎ１が１６０〜１７５度の範囲に入るように、ｈｄを補正してｃｈｄｌ（ｈｄより低い値）として、ＨＢ、ＨＤ及びＨＥが、それぞれ、ｈｂ、ｃｈｄｌ及びｈｅである、と設定することを特徴とする枕。
【請求項４】
前記枕使用者の立位の状態とは、枕使用者がスニージングポジションの立位の状態である請求項１〜３のいずれか１に記載の枕。
【請求項５】
前記枕使用者の立位の状態とは、枕使用者がアロマを嗅いでいるスニージングポジションの立位の状態である請求項１〜３のいずれか１に記載の枕。
【請求項６】
下記の工程を含む枕の設計方法、
枕使用者の立位の状態での撮影画像により、
（１）枕使用者の肩甲骨の接線Ｌ２から、大後頭隆起部の頭皮外側までの距離の高さであるｈｂ、第４頚椎棘突起の位置の筋層の外側までの距離の高さであるｈｄ及び第７頚椎の棘突起先端までの距離の高さであるｈｅ、を設定する工程、
（２）枕使用者の立位の状態での第２頚椎歯突起後面と第４頚椎椎体後面中央中心と第７頚椎椎体後面を結ぶＬ１による角度Ｎ１を設定する工程、
（３）下記の工程により、後頭部の最凸部（大後頭隆起）周辺支持部（Ｂ）の高さであるＨＢ、第４頸椎周辺の支持部（Ｄ）の高さであるＨＤ、及び第７頸椎周辺の支持部（Ｅ）の高さであるＨＥを設定する工程、
Ｉ：角度Ｎ１の測定値が１６０〜１７５度の場合には、ＨＢ、ＨＤ及びＨＥが、それぞれ、ｈｂ、ｈｄ及びｈｅであり、
ＩＩ：角度Ｎ１の測定値が１７５度を超える場合には、Ｎ１が１６０〜１７５度の範囲に入るように、ｈｄを補正してｃｈｄｈ（ｈｄより高い値）として、ＨＢ、ＨＤ及びＨＥが、それぞれ、ｈｂ、ｃｈｄｈ及びｈｅであり、
ＩＩＩ：角度Ｎ１の測定値が１６０度未満の場合には、Ｎ１が１６０〜１７５度の範囲に入るように、ｈｄを補正してｃｈｄｌ（ｈｄより低い値）として、ＨＢ、ＨＤ及びＨＥが、それぞれ、ｈｂ、ｃｈｄｌ及びｈｅであると設定する。
【発明の詳細な説明】
【技術分野】
【０００１】
本発明は、オーダーメイド枕及び該枕の設計方法に関する。
【背景技術】
【０００２】
（現状の枕）
従来、安眠、肩こりの解消、脊髄・頸椎の矯正ために様々な枕が開発されている。これらの枕は、枕形状、枕の材質等を改良したものである。
しかし、これらの改良だけでは、各枕使用者によっては効果を感じることができない問題があった。
【０００３】
（オーダーメイド枕）
上記問題に対応すべく、各枕使用者の体形（骨格、身長）に併せたオーダーメイド枕が知られている。
例えば、枕使用者は、店舗に行き、自身の後頭部（頭）、首、背中、腰・お尻等の位置の測定や体重の測定を行う。
すなわち、枕の使用者の身体の外部情報のみを基にして、枕を設計している。
【０００４】
（先行報告）
下記記載のように枕に関する報告は存在する。
特許文献１は、「仰臥した時に後頭部を支える後頭部支持部、及び頸部を支える頸部支持部と、該後頭部支持部及び頸部支持部の両側に位置して、横臥した時に頭部両側を支える２個の頭部両側支持部とから構成され、該後頭部支持部と頸部支持部の高さが、仰臥した時の、鼻と顎の高さがほぼ水平になるように調整され、該頭部両側支持部の高さが、横臥した時の、頸椎と胸椎とがほぼ直線になるように調整されていることを特徴とする整体矯正枕」を開示している。
特許文献２は、「頭部を載置可能な主枕と、頸部を載置可能な補助枕とを備え、該補助枕に主枕よりも通気性の良好な詰物を充填した枕において、前記主枕の一端部に補助枕の一側面の中間部を揺動自在に連結し、該補助枕を前記連結部を中心に反転自在に設け、前記補助枕を主枕の表裏両面の一側に重合して配置可能にしたことを特徴とする枕」を開示している。
特許文献３は、「頚椎持ち上げ部を形成する弾性体上面の前面側に三重の円筒状弾性体を有し、芯部は円筒状の空洞の弾性体両側に一対のゴムチューブを設け中央部に横向き空洞を設け、その外周部は二重に円筒状に弾性体で形成し、前記円筒状弾性体中央部の横向き空洞に取り外し自在な頚骨持ち上げ円筒状パッドを設け、前記弾性体上面の前面側から中央側に向けて上向きの曲面を設け、頚椎斜面部前面側から中心線に沿って長手方向に空洞の縦溝を設け縦溝の上面両側に頚椎椎間関節受部を設けたことを特徴とする頚椎矯正枕」を開示している。
上記いずれの文献は、「オーダーメード枕」について開示又は示唆がない。
【０００５】
特許文献４は、「健康枕の使用者の写真を撮影してそれを通信手段により受注者コンピュータに送信し、受注者コンピュータにおいて受信した写真に撮影された使用者の姿勢状態を実際に布団に寝た場合の人間工学的設計による適正な姿勢状態として使用者と枕との必要測定部位を寸法基準により測定し、これらの測定値から予め設定したその使用者自身の健康に適した枕を設計するようにしたオーダーメイドシステムであって、前記人間工学的設計による適正な姿勢状態として使用者と枕との必要測定部位の測定は使用者が布団に仰向けに寝た状態で第七頚椎を支点ｘとして、この支点ｘから体の中心線ｄとの一定角度Ｑを有する標準傾斜線ｅ上に頚部湾曲の最深部ｂが位置し、布団の床面から頚部湾曲の最深部ｂまでの高さＮとこの高さＮより一定値低い後頭部の凸部ｃまでの高さＭとを測定するようにしたオーダーメイドシステムにおける枕の設計方法」を開示している。
しかしながら、該文献に記載のオーダーメイド枕は、身体の外部情報のみで設計されている。さらに、本発明の枕の特徴である「枕使用者が立位の状態での第２頚椎歯突起後面と第４頚椎椎体後面中央中心と第７頚椎椎体後面を結ぶＬ１による角度が１６０〜１７５度になるように設計されていること」も開示していない。
【先行技術文献】
【特許文献】
【０００６】
【特許文献１】特開平１１−２５３２８７
【特許文献２】特開２０１０−０８８５４８
【特許文献３】特開２０１１−１６７３２５
【特許文献４】特開２００８−２１２６６９
【発明の概要】
【発明が解決しようとする課題】
【０００７】
本発明者（医師であり医学博士）は、現在の枕及び現状のオーダーメイド枕でも安眠、肩こり等の問題を解消できない患者を多数診察している。
そこで、本発明は、現在の枕及び現在のオーダーメイド枕でも解決できない肩こり等の問題を解消できる枕を提供することを課題とした。
【課題を解決するための手段】
【０００８】
本発明者は、現在の枕及び現在のオーダーメイド枕でも安眠、肩こり等の問題を解消できない重度の肩こりや緊張性頭痛（肩こりに起因する頭痛）の患者と肩こりを有さない健常者の様々な身体の外部情報及び内部情報を比較検討したところ、立位の状態での第２頚椎歯突起後面と第４頚椎椎体後面中央中心と第７頚椎椎体後面を結ぶ線による角度に有意な差異を有することを見出した（参照：図７）。そして、該角度が肩こり等に影響を与えるという事実を基にして、該角度を調整可能な枕及び該枕の設計方法を完成した。
【０００９】
すなわち、本発明は以下の通りである。
「１．下記の構造を有する枕、
（１）後頭部の最凸部（大後頭隆起）周辺支持部（Ｂ）、
（２）第４頸椎周辺の支持部（Ｄ）及び
（３）第７頸椎周辺の支持部（Ｅ）を有し、
枕使用者が布団に仰向けに寝た状態での該布団の床面から、大後頭隆起部の頭皮外側までの距離の高さをＨＢ、第４頚椎棘突起の位置の筋層の外側までの距離の高さをＨＤ及び第７頚椎の棘突起先端までの距離の高さをＨＥとし、
該枕使用者が立位の状態での第２頚椎歯突起後面と第４頚椎椎体後面中央中心と第７頚椎椎体後面を結ぶＬ１による角度Ｎ１が１６０〜１７５度になるようにＨＢ、ＨＤ及びＨＥの高さが設定されていることを特徴とする枕。
２．さらに、頭部両側周辺の支持部（Ｃ）を含む前項１に記載の枕。
３．前項１又は２の枕において、
枕使用者の撮影画像測定により、肩甲骨の接線Ｌ２から、大後頭隆起部の頭皮外側までの距離の高さをｈｂ、第４頚椎棘突起の位置の筋層の外側までの距離の高さをｈｄ及び第７頚椎の棘突起先端までの距離の高さをｈｅとし、
（１）角度Ｎ１の測定値が１６０〜１７５度の場合には、ＨＢ、ＨＤ及びＨＥが、それぞれ、ｈｂ、ｈｄ及びｈｅであり、
（２）角度Ｎ１の測定値が１７５度を超える場合には、Ｎ１が１６０〜１７５度の範囲に入るように、ｈｄを補正してｃｈｄｈ（ｈｄより高い値）として、ＨＢ、ＨＤ及びＨＥが、それぞれ、ｈｂ、ｃｈｄｈ及びｈｅであり、
（３）角度Ｎ１の測定値が１６０度未満の場合には、Ｎ１が１６０〜１７５度の範囲に入るように、ｈｄを補正してｃｈｄｌ（ｈｄより低い値）として、ＨＢ、ＨＤ及びＨＥが、それぞれ、ｈｂ、ｃｈｄｌ及びｈｅである、と設定することを特徴とする枕。
４．前記枕使用者の立位の状態とは、枕使用者がスニージングポジションの立位の状態である前項１〜３のいずれか１に記載の枕。
５．前記枕使用者の立位の状態とは、枕使用者がアロマを嗅いでいるスニージングポジションの立位の状態である前項１〜３のいずれか１に記載の枕。
６．下記の工程を含む枕の設計方法、
枕使用者の立位の状態での撮影画像により、
（１）枕使用者の肩甲骨の接線Ｌ２から、大後頭隆起部の頭皮外側までの距離の高さであるｈｂ、第４頚椎棘突起の位置の筋層の外側までの距離の高さであるｈｄ及び第７頚椎の棘突起先端までの距離の高さであるｈｅ、を設定する工程、
（２）枕使用者の立位の状態での第２頚椎歯突起後面と第４頚椎椎体後面中央中心と第７頚椎椎体後面を結ぶＬ１による角度Ｎ１を設定する工程、
（３）下記の工程により、後頭部の最凸部（大後頭隆起）周辺支持部（Ｂ）の高さであるＨＢ、第４頸椎周辺の支持部（Ｄ）の高さであるＨＤ、及び第７頸椎周辺の支持部（Ｅ）の高さであるＨＥを設定する工程、
Ｉ：角度Ｎ１の測定値が１６０〜１７５度の場合には、ＨＢ、ＨＤ及びＨＥが、それぞれ、ｈｂ、ｈｄ及びｈｅであり、
ＩＩ：角度Ｎ１の測定値が１７５度を超える場合には、Ｎ１が１６０〜１７５度の範囲に入るように、ｈｄを補正してｃｈｄｈ（ｈｄより高い値）として、ＨＢ、ＨＤ及びＨＥが、それぞれ、ｈｂ、ｃｈｄｈ及びｈｅであり、
ＩＩＩ：角度Ｎ１の測定値が１６０度の未満の場合には、Ｎ１が１６０〜１７５度の範囲に入るように、ｈｄを補正してｃｈｄｌ（ｈｄより低い値）として、ＨＢ、ＨＤ及びＨＥが、それぞれ、ｈｂ、ｃｈｄｌ及びｈｅであると設定する。」
【発明の効果】
【００１０】
本発明の枕は、使用者のアンケートより以下の効果を有することを確認した。
（１）肩こりの軽減効果
（２）首痛（特に、朝起きた時の首痛）の軽減効果
（３）熟睡（安眠）効果（特に、夜中に覚醒しなくなった）
（４）イビキ軽減効果
（５）歯ぎしり軽減効果
【図面の簡単な説明】
【００１１】
【図１】本発明の枕の上面図。
【図２】（１）本発明の枕の側面図（ＡはＢ、Ｃ、Ｄ、Ｅを覆っており、かつＣを通過する側面断面図）、（２）本発明の枕の側面図（ＡはＢ、Ｃ、Ｄ、Ｅを覆っており、かつＢを通過する側面断面図）、（３）本発明の枕の側面図（ＡはＢ、Ｃ、Ｄ、Ｅを覆っておらず、かつＢを通過する側面断面図）。
【図３】ｈｂ、ｈｄ及びｈｅを設定するための撮影画像（レントゲン写真）。
【図４】角度Ｎ１を測定するための撮影画像（レントゲン写真）。
【図５】（１）Ｎ１が１７５度を超える時のＨＤの設定方法、（２）Ｎ１が１６０度未満の時のＨＤの設定方法。
【図６】本発明の簡易版枕の上面図。
【図７】左図：肩こりを有さない健常者の頸椎の撮影画像（レントゲン写真）。右図：肩こりを有する患者の頸椎の撮影画像（レントゲン写真）。
【図８】病態別の患者の頸椎角度（角度Ｎ１）の表。NP：健常、MCH：筋緊張性頭痛、Migren：片頭痛、MCH＋Migren：筋緊張性頭痛・片頭痛併発。＊はP＜０．０５。
【発明を実施するための形態】
【００１２】
（本発明の枕）
本発明の枕は、下記の構造を有する（参照：図１、２）。
（１）後頭部の最凸部（大後頭隆起）周辺支持部（Ｂ）
（２）第４頸椎周辺の支持部（Ｄ）
（３）第７頸椎周辺の支持部（Ｅ）
枕使用者が布団に仰向けに寝た状態での該布団の床面から、大後頭隆起部の頭皮外側までの距離の高さはＨＢ、第４頚椎棘突起の位置の筋層の外側までの距離の高さはＨＤ及び第７頚椎の棘突起先端までの距離の高さはＨＥである。
該枕使用者が立位の状態での第２頚椎歯突起後面と第４頚椎椎体後面中央中心と第７頚椎椎体後面を結ぶＬ１による角度Ｎ１が１６０〜１７５度になるようにＨＢ、ＨＤ及びＨＥの高さが設定されている。
【００１３】
本発明の枕は、好ましくは、さらに、頭部両側周辺の支持部（Ｃ）及び／又は頭頂部から肩甲骨部までの枕の最上層となる部分（Ａ）も含む。
【００１４】
（本発明の枕の設計方法）
本発明の枕の設計方法（参照：図３、４）は、少なくとも下記の工程を含む。
枕使用者の立位の状態での撮影画像により、
（１）枕使用者の肩甲骨の接線Ｌ２から、大後頭隆起部の頭皮外側までの距離の高さであるｈｂ、第４頚椎棘突起の位置の筋層の外側までの距離の高さであるｈｄ及び第７頚椎の棘突起先端までの距離の高さであるｈｅ、を設定する工程、
（２）枕使用者の立位の状態での第２頚椎歯突起後面と第４頚椎椎体後面中央中心と第７頚椎椎体後面を結ぶＬ１による角度Ｎ１を設定する工程、及び
（３）下記の工程により、後頭部の最凸部（大後頭隆起）周辺支持部（Ｂ）の高さであるＨＢ、第４頸椎周辺の支持部（Ｄ）の高さであるＨＤ、及び第７頸椎周辺の支持部（Ｅ）の高さであるＨＥを設定する工程。
Ｉ：角度Ｎ１の測定値が１６０〜１７５度の場合には、ＨＢ、ＨＤ及びＨＥを、それぞれ、ｈｂ、ｈｄ及びｈｅに設定し、
ＩＩ：角度Ｎ１の測定値が１７５度を超える場合には、Ｎ１が１６０〜１７５度の範囲に入るように、ｈｄを補正してｃｈｄｈ（ｈｄより高い値）として、ＨＢ、ＨＤ及びＨＥを、それぞれ、ｈｂ、ｃｈｄｈ及びｈｅに設定し、
ＩＩＩ：角度Ｎ１の測定値が１６０度未満の場合には、Ｎ１が１６０〜１７５度の範囲に入るように、ｈｄを補正してｃｈｄｌ（ｈｄより低い値）として、ＨＢ、ＨＤ及びＨＥを、それぞれ、ｈｂ、ｃｈｄｌ及びｈｅに設定する。
なお、角度Ｎ１の測定値が１７５度を超える場合とは、〜約２６０、〜約２３０度、〜約２００度の範囲を含む。
【００１５】
（枕使用者の撮影画像）
枕使用者の撮影画像は、従来のオーダーメイド枕とは異なり、身体の内部情報（Ｎ１、ｈｂ、ｈｄ、ｈｅ等）が必要である。よって、撮影画像は、特に限定されないが、外来診療等によるレントゲン撮影画像が好ましい。
【００１６】
（枕使用者の撮影画像測定）
枕使用者の撮影画像測定は、立位の状態での第２頚椎歯突起後面と第４頚椎椎体後面中央中心と第７頚椎椎体後面を結ぶＬ１による角度Ｎ１（参照：図４）の角度が測定できれば特に限定されない。特に、枕使用者のエックス線撮影条件では、立位側面で撮影し、肩甲骨から大後頭隆起までの照射野をとり角度Ｎ１が測定できれば特に限定されない。
さらに、好ましくは、枕使用者にスニージングポジションをとらせることが望ましい。スニージングポジションとは、匂いをかぐときに鼻とあごを前に突き出すようにする姿勢である。なお、測定時の必要に応じて、アロマ等の臭いを嗅いでもらって、鼻を前に突き出すような姿勢にしても良い。スニージングポジションにより、気道が一番開く姿勢になり、イビキが発生しにくくなる事実が知られているため、それを寝姿勢に応用する。さらに歯ぎしりが発生しにくくなることを目的とするため、リラックスした状態で、くちを閉じた状態で上下歯をお互いに接触させないようにして撮影することが望ましい。
【００１７】
（角度Ｎ１）
本発明者は、重度の肩こりや緊張性頭痛（肩こりに起因する頭痛）の患者と肩こりを有さない健常者の様々な身体の外部情報及び内部情報を比較検討したところ、立位の状態での角度Ｎ１に有意な差異を有することを確認している。より詳しくは、重度の肩こりや緊張性頭痛の患者の角度Ｎ１は平均１８０度であり、肩こりを有さない健常者の角度Ｎ１は平均１７３度であった。
よって、本発明の枕では、枕使用者が、立位の状態でのＮ１角度が１６０度〜１７５度の範囲に維持できるように、枕の後頭部の最凸部（大後頭隆起）周辺支持部（Ｂ）、第４頸椎周辺の支持部（Ｄ）及び第７頸椎周辺の支持部（Ｅ）の高さを各使用者に併せて設定する。
【００１８】
（角度Ｎ１の補正方法）
本発明では、上記新たな知見により、枕使用者が、立位の状態でのＮ１角度が１６０度〜１７５度の範囲に維持できるように、第４頸椎周辺の支持部（Ｄ）の高さＨＤを設定する。
（１）角度Ｎ１の測定値が１６０〜１７５度の場合には、補正する必要がない。よって、ＨＢ、ＨＤ及びＨＥを、それぞれ、ｈｂ、ｈｄ及びｈｅにする。
（２）角度Ｎ１の測定値が１７５度を超える場合には、Ｎ１が１６０〜１７５度の範囲に入るように、図５（１）に記載のように、ｈｄを補正してｃｈｄｈ（ｈｄより高い値）を設定する。そして、ＨＢ、ＨＤ及びＨＥを、それぞれ、ｈｂ、ｃｈｄｈ及びｈｅにする。
（３）角度Ｎ１の測定値が１６０度未満の場合には、Ｎ１が１６０〜１７５度の範囲に入るように、図５（２）に記載のように、ｈｄを補正してｃｈｄｌ（ｈｄより低い値）を設定する。そして、ＨＢ、ＨＤ及びＨＥを、それぞれ、ｈｂ、ｃｈｄｌ及びｈｅにする。
【００１９】
通常は、ＨＢ及びＨＥは、それぞれ、ｈｂ及びｈｅである。
しかし、枕使用者が、円背、ヘルニア及び変形性頸椎症状がある場合には、ＨＢ及びＨＥも調整することもできる。
より詳しくは、Ｎ１の調整を少なくするために、ｈｂ及びｈｅを調整して、もとの形でのカーブを支持する等を行う。
【００２０】
｛頭頂部から肩甲骨部までの枕の最上層となる部分（Ａ）｝
頭頂部から肩甲骨部までの枕の最上層となる部分（Ａ）は、Ａ１、Ａ２を含む。なお、Ａでは、綿が偏らないように、縫い目Ｍを入れてＡ１とＡ２を分けている。縫い目Ｍは、綿がよれてＡの表面に高低差を出ることを抑えることができる。
さらに、枕使用者の肩が接する部分（Ｓ）は、厚みが出ないように綿を減らしている｛参照：図２（２）（３）のＳＬ｝。
Ａは、ＡがＢとＣに接する境界で二つ折りにして、Ｂ、Ｃ、Ｄ及びＥの表面（上面）を覆うことにより、Ｂ、Ｃ、Ｄ及びＥ間の高低差による枕使用者の違和感を抑えることができる。
Ａの形状は、特に限定されないが、四角柱が好ましい。
Ａの材質は、特に限定されないが、綿が好ましい
【００２１】
｛後頭部の最凸部周辺支持部（Ｂ）｝
後頭部の最凸部周辺支持部（Ｂ）は、好ましくは、縫い目Ｍを有する。
縫い目Ｍは、首が左右にずれるのを抑えることができる。
Ｂの形状は、特に限定されないが、四角柱が好ましい。
Ｂの材質は、特に限定されないが、高さを保てる程度の硬さのあるプラスティックチューブが好ましい。プラスティックチューブは、チャックのついたＢの部位よりＢの内部に出し入れすることにより、容易にＨＢの高さを変えることができる。
【００２２】
｛頭部両側周辺の支持部（Ｃ）｝
側頭部周辺の支持部（Ｃ）は、Ｂの両側に位置し、好ましくは、縫い目Ｍを有することが好ましい。
縫い目Ｍは、充填しているプラスティックチューブが重さで偏って不安定になることを抑えることができる。すなわち、下顎をしっかり支えることができる。
Ｃの形状は、特に限定されないが、四角柱が好ましい。
Ｃの材質は、特に限定されないが、プラスティックチューブが好ましい。
ＨＣは、特に限定されないが、好ましくは、枕使用者が横向きで寝たときの高さ（肩幅）に設定する。より詳しくは、メジャー等を用いて耳介から方に向けて垂線を下ろし、そこと肩関節の最外側となる上腕骨大結節部位までの距離に設定する。例えば、女性は平均８ｃｍ〜１２ｃｍ程度、男性は１０ｃｍ〜１５ｃｍ程度に設定する。
【００２３】
｛第４頸椎周辺の支持部（Ｄ）｝
第４頸椎周辺の支持部（Ｄ）の形状は、特に限定されないが、円柱の形状が好ましい。
Ｄの材質は、特に限定されないが、プラスティックの粒が好ましい。プラスティックの粒は、圧することにより中の充填物が動き形や高さが変化することが起こりにくい素材である。さらに、プラスティックの粒は、数を変えることにより、ＨＤを微調整することができる。
【００２４】
｛第７頸椎周辺の支持部（Ｅ）｝
第７頸椎周辺の支持部（Ｅ）は、少なくともＥ１を含み、好ましくはＥ２も含む。さらに、Ｅ１とＥ２の仕切り線Ｌ３を有する。Ｅは、第７頸椎から両肩甲骨間を保持するための支持部である。
Ｅ１の形状は、特に限定されないが、四角柱が好ましい。Ｅ２の形状は、特に限定されないが、三角柱が好ましい。Ｅ１、Ｅ２において、これらの高さをＥ１＞Ｅ２とする。これらの高さにより、第７頚椎から両肩甲骨間に緩やかなカーブを保持することにより頚椎、胸椎が急な角度で接地することを防ぎ肩甲骨間の筋肉の緊張を和らげることができる。さらに、円背などのある人において最凸部に床ずれが生じないよう体圧を分散することもできる。
Ｅの材質は、特に限定されないが、ソフトチューブ（エラストマー）が好ましい。ソフトチューブ（エラストマー）は、柔らかいため違和感が少なく一箇所に体圧がかかることを抑制する。
【００２５】
（簡易枕）
本発明では、上記ＨＢ、ＨＤ及びＨＥを各枕使用者に併せて作成した枕だけでなく、図６に記載のように、ＨＢ、ＨＤ及びＨＥを各枕使用者に併せて作成していない簡易枕も対象とする。
本発明の簡易枕は、Ａ（Ａ１及びＡ２）、Ｂ、２つのＣ、Ｄ及びＥからなる。
【００２６】
Ａ、Ｂ、Ｃ、Ｄ及びＥの材質は、特に限定されないが、それぞれ、綿、プラスティックチューブ、プラスティックチューブ、ソフトチューブ（エラストマー）及びプラスティックチューブが好ましい。
枕使用者は、プラスティックチューブ及びソフトチューブの量を変更することにより、ＨＢ、ＨＣ、ＨＤ及びＨＥを適宜調整することができる。
【００２７】
（各支持部の高さ）
上記各支持部の高さは、角度Ｎ１が１６０〜１７５度の範囲に設定できる限りには、枕使用者と接する面のすべての高さが均一かつ設定値である必要はない。例えば、ＨＢ、ＨＤ及びＨＥは、設定値±５cmでも良い。
【００２８】
以下、本発明を、実施例を挙げてより詳細に説明するが、本発明はこれらに限定されるものではない。
【実施例１】
【００２９】
（病態別の角度Ｎ１の測定）
本発明の枕を、肩こり・頭痛を有する外来患者・入院患者に併せて作製するために、健常者１５人、筋緊張性頭痛患者２８人、片頭痛患者１２人、及び筋緊張性頭痛・片頭痛併発患者１０人の角度Ｎ１を計測した。詳しくは、以下の通りである。
健常者および各患者のエックス線撮影画像を撮影した。撮影条件は、立位側面で撮影し、肩甲骨から大後頭隆起までの照射野をとり、アロマのにおいを嗅いでもらい、スニージングポジションをとった。
【００３０】
（病態別の角度Ｎ１の測定結果）
図７の画像から明らかなように、健常者と筋緊張性頭痛患者では頸椎の角度（頸椎のカーブ）に明らかな差がみられた。各患者のエックス線撮影画像から角度Ｎ１を測定し、病態別の角度Ｎ１の測定結果を図８に示す。図８の結果より、健常者、筋緊張性頭痛患者、並びに、片頭痛患者筋緊張性頭痛・片頭痛併発患者の平均値及び中央値は、それぞれ、１７３及び１７１、１８２及び１８０、１７３及び１７３、並びに１８０及び１８０であった。
図８が示すように、筋緊張性頭痛患者では、健常者の平均である１７３度に比べて角度Ｎ１が平均で９度大きかった。筋緊張性頭痛・片頭痛併発患者では、健常者に比べて角度Ｎ１が平均で７度大きかった。肩こりに起因しない病態である片頭痛患者では、健常者と有意差がみらなかった。
以上の結果から、肩こりを有さない健常者と肩こりを有する患者を比較すると、立位の状態での第２頚椎歯突起後面と第４頚椎椎体後面中央中心と第７頚椎椎体後面を結ぶ線による角度Ｎ１に有意な差異を有することを見出し、さらに該角度が肩こりに影響を与えることを確認した。
【実施例２】
【００３１】
（本発明の枕使用による効果の確認）
本発明の枕設計方法により、肩こり・頭痛を有する外来患者・入院患者に併せた枕を作成して、該枕を使用した後の患者の感想を確認した。
○使用者の１人は、普段使用している枕との感触が異なるので、最初は違和感（戸惑った）があった。しかし、初日から熟睡できた。さらに、約１週間継続して使用することにより、肩こりが軽減できた。その他の使用者は、初日からの違和感があるとの感想はなかった。
○横向きで寝ても肩・首が痛くなかった。
○朝起きたときに頭部が軽く感じた（朝の頭痛・肩こりが軽減した）。
○夜中に覚醒しなくなった（安眠、熟睡できた）。
○イビキが少なくなった。
○歯ぎしりがなくなった。
【００３２】
以上により、本発明の枕は、肩こりの軽減効果、首痛（特に、朝起きた時の首痛）の軽減効果、熟睡（安眠）効果、イビキ軽減効果及び歯ぎしり軽減効果を有する。
【産業上の利用可能性】
【００３３】
本発明によれば、新規な枕及び該枕の設計方法を提供することができる。
【符号の説明】
【００３４】
Ａ：頭頂部から肩甲骨部までの枕の最上層となる部分
Ｂ：後頭部の最凸部周辺支持部
Ｃ：頭部両側周辺の支持部
Ｄ：第４頸椎周辺の支持部
Ｅ：第７頸椎周辺の支持部
ＨＢ：枕使用者が布団に仰向けに寝た状態での該布団の床面から大後頭隆起部の頭皮外側までの距離の高さ
ＨＣ：枕使用者が布団に仰向けに寝た状態での該布団の床面から頭部両側周辺の支持部までの距離の高さ
ＨＤ：枕使用者が布団に仰向けに寝た状態での該布団の床面から第４頚椎棘突起の位置の筋層の外側までの距離の高さ
ＨＥ：枕使用者が布団に仰向けに寝た状態での該布団の床面から第７頚椎の棘突起先端までの距離の高さ
Ｌ１： 第２頚椎歯突起後面と第４頚椎椎体後面中央中心と第７頚椎椎体後面を結ぶ線
Ｎ１：第２頚椎歯突起後面と第４頚椎椎体後面中央中心と第７頚椎椎体後面を結ぶ線Ｌ１による角度（Ｌ１に仕切られる線による顎とは反対側の角度）
Ｌ２：枕使用者の肩甲骨の接線
ｈｂ：枕使用者の肩甲骨の接線Ｌ２から大後頭隆起部の頭皮外側までの距離の高さ
ｈｄ：枕使用者の肩甲骨の接線Ｌ２から第４頚椎棘突起の位置の筋層の外側までの距離の高さ
ｈｅ：枕使用者の肩甲骨の接線Ｌ２から第７頚椎の棘突起先端までの距離の高さ
ｃｈｄｈ：角度Ｎ１の補正により得られる高さ（ｈｄよりも高い）
ｃｈｄｌ：角度Ｎ１の補正により得られる高さ（ｈｄよりも低い）
Ｌ３：Ｅ１とＥ２を仕切る線
Ｍ：縫い目
Ｓ：枕使用者の肩が接する部分
ＳＬ：綿を減らしている部分
【図１】
2015211830.tif 000002
【図２】
2015211830.tif 000003
【図３】
2015211830.tif 000004
【図４】
2015211830.tif 000005
【図５】
2015211830.tif 000006
【図６】
2015211830.tif 000007
【図７】
2015211830.tif 000008
【図８】
2015211830.tif 000009